(57)【要約】【課題】【課題】  不凍栓閉栓時に地中に放出しはじめる給水管内の残留水がいつでも速やかに地中で放出できる方法、地中に定量的排水空間を作成する方法、設計残留水量が排水空間容量に正確に反映する装置、地中に不凍栓の定量的排水環境を確立する事。【解決手段】  本発明は不凍栓の水抜き口のまわりに定量空間とそれを保持する構造体を設けることを解決の手段とし、実施する場合は、図１に示す半円筒状の容器（Ａ）を２個と土壌の進入を阻止する板９または板１０を地中で不凍栓水抜口を取り囲むように取り付ける事により設計排水空間容量を数値的に確保出来る定量的排水空間装置を提供するものである。【選択図】  図１
2006002551.tif 000002
【特許請求の範囲】
【請求項１】
不凍栓水抜き口のまわりに定量空間または通水通気性材による定量排水空間を設けることを特徴とする排水空間装置。
【請求項２】
請求項１記載の空間を保持するために空間のまわりに板状で多角形または円筒状の分割材を設け、この分割材が不凍栓に固定出来る構造を持つことを特徴とする排水空間装置。
【請求項３】
請求項２において分割材が単数または複数に分割され、給水管を通すためのところに穴を単数または複数持ち分割材そのものが不通水性のものや通水性や通気性を持つもの等からなり、すきま等から空間への土壌進入防止方法を採用したことを特徴とする排水空間装置。
【請求項４】
不凍栓に固定する半円筒１または半四角筒１８を設け、これに継続して半円錐２を設け、これに継続して排水空間を作るための半円胴８を設け、半円胴８に給水管を通す縦長半円穴３を設け、接合面に結合部として突起５と溝６を設け、空間への土壌進入阻止のための板９または板１０をもって構成される排水空間装置。
【発明の詳細な説明】
【技術分野】
【０００１】  本発明は室内外に設置する給水装置内への給水を止めたり冬期間に凍結するのを防止するために設ける不棟栓の閉栓時の抜き水を定量的に排水処理をおこなうための排水空間装置に関する。
【背景技術】
【０００２】  今日の施工方法では、不凍栓を地中に設置し埋め戻す場合、掘り出した土をそのまま直接埋め戻す方法や排水空間確保の目的で砂利や砂などの隙間の出来る材料で不凍栓下部を包み込むような形で周囲に埋設し給水管内の水が抜けやすくしようと努力する場合などもあるが、不凍栓設置作業等に関わる現場の作業員の手仕事であり、一つとして設計上から求められる排水容量を数値をもって正確に反映するものはなく、定量排水空間の確保が難しい現状で品質基準の不明朗な工事となっている。
【発明の開示】
【発明が解決しようとする課題】
【０００３】  不凍栓閉栓と同時に地中に放出しようとする給水管内の残留水がいつでも速やかに地中で放出できる事が望まれるところであり、施工を行う企業の姿勢に起因する工事仕様や、作業員の経験に支配される不安定な施工方法の実施やそれによる排水容量の確認出来ない排水空間の構築、長期にわたり安定した排水空間確保、誰が施工しても安定した排水空間の確保、同じ施工内容に対する埋め戻し作業の短縮化、不凍栓機能の長期間信頼性確保、等に多く問題があり不凍栓設置工事排水環境信頼性向上とそれを満たす設計上から求められる排水容量を数値をもって正確に反映する装置が望まれる等の課題がある。
【課題を解決するための手段】
【０００４】  本発明は不凍栓の閉栓時に不凍栓水抜き口から排出される給水管内からの残留水が抵抗無く排出できるように不凍栓水抜き口のまわりにいつも安定した排水機能が構築出来るように容量の定まった空間を設け、不凍栓水抜き口の機能を阻害することのない排水処理の機能を発揮する形状や位置や素材等からなる構造の特徴を持つ不凍栓の排水空間装置を提供する。【０００５】  本発明において空間とするところは、給水管にある残留水が不凍栓水抜き口から排出される場所であり、その水量は限られたものとなるので排水された水が直接土壌に吸い取られるような空気以外の何も無い一塊の空気層だけではなく細かな空気層が分散配列されたようなスポンジ状のものやタワシに見られるような編み目状のもの、変形がしにくい軽石状のもの等の水分を吸収すると同時に排出もしてしまうような通水通気性材に置き換えて定量排水空間を確保する事も出来るので本発明における空間とはこのよう多種多様ないろいろの形を含むものである。【０００６】  この通水通気性材は単に通水性材料としてもかまわないが、水を吸収する前の状態は空気を多く含む状態であり、排水を吸い込む事で一次的に水のふくみ量が増えると同時に片側から土壌に吸収されていきその過程の中で気体も循環の一部となるため通気性も併せ持つ事になるので通水通気性材としたものである。【０００７】  地中において空間を保持するには、その空間を必要な形にしておく事がもとめられるので、空間の外側の土壌との間に分割する構造の材料（分割材）を入れるものであり、通水通気性材を用いた場合も同じである。【０００８】  そして不凍栓水抜き口の排水機能を阻害しない定量空間を設定するためには、この不凍栓水抜き口を包み込むように配置すればよく、この空間外側に分割する材料（分割材）を入れることで定量空間の確保ができ、この分割材を必要な厚みを持った板状にすることで定容積作成が提供でき、この分割材を不凍栓を中心にする円筒状や多角形に配置する事で不凍栓水抜き口から土壌との距離を自由にまたは平均的に離した空間確保ができ、さらにこの円筒状や多角形の分割材と不凍栓との関係を最適化するために不凍栓に固定出来る構造を分割材にあわせ持たせ、空間を押し縮めようと働く土壌の圧力に対して必要な場合はこれに耐えるための強度補強構造を持たせる。【０００９】  本発明の分割材の特性は不凍栓水抜き口から排出される給水管内からの残留水が抵抗無く排出できるように空間を取り囲む分割材そのものが細かな穴を持った通水性や通気性のある材料でもよく、単数または複数に分割されている構造や同じ形での分割や縦に分割することもふくまれ、さらに分割された分割材が設置される時にそれらが結合できるように接合するところに結合部を持つことを含み給水管を通すための穴を単数または複数持つことで給水管に接続されている不凍栓に設置できる特徴を持つ排水空間装置を提供するもので、分割材の穴とそこを通る給水管とのすきまからの土壌の進入を防止するため、このすきまを覆う土壌進入防止装置を取り付けることを特徴とする。【００１０】  実施する場合、不凍栓の水抜き口を包み込むように空間を配置するために設定する空間の外側に縦に二分割した半円筒状分割材の構���は不凍栓に固定する半円筒１または角形対応の半四角筒１８を設け、これに継続して半円錐２を設け、これに継続して排水空間を作るための半円胴８を設け、半円胴８に給水管を通す縦長半円穴３を地下不凍栓の場合は２カ所設け、立ち不凍栓の場合は一カ所設け、二分割の半円筒状分割材が円形に合わさる時の接合面に結合部として突起５と溝６を設けて構成される内容の図１（Ａ）、（Ｂ）に縦長半円穴３と給水管の間から空間への土壌進入阻止のための板９または板１０を四角形立ち不凍栓では板９を２枚、または板１０を１枚を取り付け、円柱状立ち不凍栓の場合は、半円筒１を持った容器図１（Ａ）、（Ｂ）を使用し、板９を２枚、または板１０を１枚を取り付ける構成の排水空間装置を提供する。
【発明の効果】
【００１１】  図１（Ａ）を不凍栓に二つ合わせて取り付けて出来る容器内の一定空間が不凍栓の水抜き口部をとり囲むことを最良の形態で説明したように、本発明は不凍栓の水抜き口のまわりで一定容積の空間を設定する方法のため、不凍栓閉栓と同時に地中に放出しようとする給水管内の残留水がいつでも速やかに地中で放出できるようになり、抜けきらないままで残留している地上部屋内配管の給水管が凍結するという事態もなくなり不凍栓機能および排水環境の長期安定維持の確保が出来、土壌と直接接触しない形になるために汚れた土壌などからの化学的影響がなくなるので水抜き口部の劣化防止と使用期間延長が見込まれ、長期間の信頼性向上が出来、品質管理に貢献する事となり、設計での寸法から生まれる排水空間容量が排水環境基準値としてとる事が可能となるので給水工事の設計や施工での排水環境容量が正確な数値をもって確保出来、きまった容器を取り付けるだけなので誰が施行しても同じ排水環境が作れるため作業員の経験に支配される不安定な施工方法も無くなり工事時間の軽減や単一化が計られ施工管理も安定性が増大し、砂や砂利等の材料が不要となるのでその材料費や持ち運び、それらの諸雑費や敷設工事の手間が不要となるため工事コスト削減となり、本発明の容器は廃プラスティック利用が出来るのでリサイクル社会になじむ形であり、二種類の部品で出来るので間違いのない取り扱いがやさしい工事ができ、どこの工事現場においても正確に設計排水容量を反映することが可能となり高品質化が推進出来、生活上や産業上の利益に貢献する。
【発明を実施するための最良の形態】
【００１２】  本発明は、図１（Ａ）に示す形の分割材（以下容器と呼ぶ）を１８０度水平に回転した形の図１（Ｂ）の容器と板９からなり、不凍栓に取り付ける作業性から円筒状の容器を縦に二つ割にした形をとり、地中において空間を長時間保持していかなければならないことから図１の（Ａ）、（Ｂ）を図２（Ｂ）に示すように合わせる時の接合部に結合出来る機能部を持たせ、製造コストの削減や現場での取り扱いの簡素化をはかるために結合機能部を左右対象に配置（図１（Ａ）突起５と溝６の関係）し、図１（Ａ）と（Ｂ）は同じ形状とすることで本発明を実施する構成要素は図１（Ａ）と板９の２種類の部品だけになり不凍栓１本につき図１（Ａ）が２個、板９が４枚で構成される。【００１３】  図１（Ａ）は上部からの土壌進入阻止と不凍栓に固定する目的で半円筒１を設け、この下に位置する排水空間を作る半円胴８に継続するために半円錐２を設け、これに続いて排水空間を作るための半円胴８を設け、不凍栓に接続される給水管を通すためには容器に穴が必要であり、容器の動きが給水管に作用しないように上下に長い形の縦長半円穴３を設け、さらに図１（Ａ）が二つ合わさって円筒状になる事で排水空間容器が出来るので図１（Ａ）二つが組み合わさる接合面に結合部として突起５と溝６を設けこれをかみ合わせる事で定量的に固定された排水空間装置を形成するものである。【００１４】  尚、現在一般に使われている立ち不凍栓と呼ばれる機種があり、この立ち上がりの胴部分は円と四角にわけられているので四角形状の図４不凍栓１７に取り付ける場合は半円筒１は図４半四角筒１８となる。【００１５】  本発明を実施するための空間容量は、一般的に使用されるＶＢ１５Ａの給水管からの戻り水を例にとって計算すると、ＶＢ１５Ａ管４メートルに貯留する水の量は約５３０立方センチ程になり、一般家庭の配管の長さはこの範囲にある事も多く、全てに対応するには長距離の配管も入れなければならなくなるので、実際には小型中型大型のように対応容量を段階的にとらえて作る必要があり、ここでは４メートルの戻り水を仮定し排水空間の内径を１０センチとしてみると、この円の面積は５Ｘ５Ｘ３．１４＝７８．５平方センチとなり５３０立方センチを７８．５で割ると６．７５センチメートルが算出され、８メートル分では１３．５ｃｍ、１２メートル分では２０．２５ｃｍ、となり中にある不凍栓の容積を見込んでも不凍のための閉栓は基本的に一度であり不凍栓と蛇口間の残留水を考慮すればよく戻り水は順次解放されている地面に吸い込まれていくので内径を１０センチの排水空間を作るための半円胴８の縦寸法は２０センチメートルもあれば小規模一般家庭に対応出来ると見ることができ、実際の工事にあたっては、配管の設計が出来た段階で不凍栓と蛇口間の配管内残留水が計算出来るのでこの条件を満たした容積の排水空間装置を選定し取り付ければよい事になる。【００１６】  本発明の実施には図２（Ｂ）に示すように不凍栓に接続された給水管を縦長半円穴３（合わされている時は縦長の円形の穴になる）に通すと給水管面積以外は隙間状の穴として空間が土壌に解放されたままのところが出来るのでこの隙間を無くすために縦長半円穴３の外側に添って給水管の一��側二次側の両側に二枚一組ずつ図２（Ｃ）に示すように挟み込む形で取り付け合計４枚取り付けて定量的な排水空間装置を構成するものであり、この場合において図１（Ｄ）に示す板１０のように中の穴１１から下に向かって切断１２してある板を同じように給水管（１４，１６）と縦長半円穴３（合わされている時は縦長の円形穴）とのあいだの隙間状の穴を無くすため縦長半円穴３の外側に添って給水管の一次側二次側の両側に取り付ける方法もあり、この場合は図２（Ｄ）に示すように一枚ずつ取り付けて定量的な排水空間装置を構成するという特徴をもつので構成要素は図１（Ａ）と板１０の２種類の部品だけになり不凍栓１本につき図１（Ａ）が２個、板１０が２枚で構成される。【００１７】  縦長半円穴３（合わされている時は縦長の円形穴）の構造的理由についは、地面を掘り起こして不凍栓を設置したとき周囲の地面の固さや掘り起し形状と埋め戻す土石の入れ方や突き固め状態との関係や埋め戻された後からの時間的に変化する量との関係があるため不凍栓に容器を取り付けたとき仮に給水管を通す穴がぴったりサイズのもので容器と給水管との間にガタが全然無い場合は、容器にかかる土圧の変化や動きが直接給水管をその力で動かす作用として働き給水管を破損することになるのでその影響を無くすために容器が直接給水管に接触せず少し間隔をつくり変化に対応するべく上下に長い縦長の穴となるものである。【００１８】  尚、図４に示すように四角形立ち不凍栓１７の場合は半円筒１は半四角筒１８と形を変えたものを用い、立ち不凍栓の二次側は不凍栓の中を通って上端の給水栓に接続されているので一次側の給水管１６だけの一本となり排水空間装置の縦長半円穴３は一カ所となり、不凍栓１本につき図１（Ａ）が図４に示すように半四角筒１８に形を変えたものが２個、板１０を使用するときは１枚で構成され、板９では２枚で構成される特徴をもつ排水空間装置。
【図面の簡単な説明】
【００１９】
【図１】  本発明の構成要素を示した概略透視斜図。（Ａ）  排水空間を確保する容器の概略透視斜図。（Ｂ）  上記（Ａ）を１８０度水平に回転した構図の概略透視斜図。（Ｃ）  板９を２枚配置した模様を示す斜視図。（Ｄ）  板１０の斜視図。
【図２】  不凍栓に排水空間装置を取り付ける様子を段階的に示す構成斜視図。（Ａ）  不凍栓と水抜き口と給水管の関係斜視図。（Ｂ）  上記（Ａ）に容器を取り付けた状態の透視斜図。（Ｃ）  板９を２枚組み合わせ配置した構成を示す斜視図。（Ｄ）  板１０を１枚の場合の構成を示す斜視図。
【図３】  結合部の状態を示す断面図。（Ａ）  結合前の状態を示す断面図。（Ｂ）  結合後の状態を示す断面図。
【図４】  四角形立ち不凍栓のときの構成を示す斜視図。（Ａ）  板９を２枚組み合わせ取り付けた構成を示す斜視図。（Ｂ）  板１０を１枚取り付けた構成を示す斜視図。
【符号の説明】
【００２０】１  半円筒。
２  半円錐。
３  縦長半円穴。
４  最下部。
５  突起。
６  溝。
７  切り込み。
８  半円胴。
９  板。
１０  板。
１１  穴。
１２  切断。
１３  不凍栓（設備屋さんはこのタイプを地下不凍栓と呼ぶ）。
１４  給水管（二次側）。
１５  水抜き口。
１６  給水管（一次側）。
１７  四角形立ち不凍栓（円柱形もある）。
１８  半四角筒。
【図１】
2006002551.tif 000003
【図２】
2006002551.tif 000004
【図３】
2006002551.tif 000005
【図４】
2006002551.tif 000006